(57)【特許請求の範囲】
【請求項１】
スキャナをガイドロッドに沿って走査させることにより画像を読取る構成の画像読取装置のガイドロッドの取付構造であって、該画像読取装置を樹脂製のシャーシ内に収容し、前記ガイドロッドをシャーシ両側面に設けた取付孔により支持するとともに、前記ガイドロッドの一端には、ガイドロッドをシャーシと固定するための取付部材を設け、前記取付部材は、プラテンガラス支持用プレートと共通の止具により固定される構成としたことを特徴とするガイドロッドの取付構造。
【発明の詳細な説明】
【０００１】
【発明の属する技術分野】
本発明は、画像読取装置の構成に関するもので、詳しくは、スキャナを支持するガイドロッドのシャーシへの取付構造に関する。
【０００２】
【従来の技術】
画像読取装置は、静止原稿に対してシャーシ内に設けられたスキャナを走査させることにより画像を読取る装置であり、画像読取装置を内装するシャーシは軽量化を図るために最近においては樹脂製のものが用いられるようになっている。そして、スキャナはシャーシ内に横設されたガイドロッドにより摺動自在に支持されており、このガイドロッドを支持するため、板金製のブラケットを樹脂製のシャーシ内に設けていた。
【０００３】
【発明が解決しようとする課題】
上述した画像読取装置においては、スキャナの光源とプラテンガラス（原稿）までの距離が一定に保たれる必要がある。そこで、ガイドロッド及びガイドロッドを支持するブラケットの成形精度、及び、組立て精度を高くすることが要求されるが、シャーシ及びガイドロッド等の周辺部品の成形精度を高くするには限界があり、またコストが高くなるという問題がある。
また、上述の如く画像読取装置を内装するシャーシを樹脂製としている場合には、金属製部品であるガイドロッドが電気的に隔絶されないように構成する必要があるが、接地用に別体の部材を設けることはコストアップとなるし、メンテナンス性の観点からもなるべく部材数の増加を防ぐことが望ましい。
【０００４】
【課題を解決するための手段】
本発明の解決しようとする課題は以上の如くであり、次に課題を解決するための手段について説明する。
即ち、請求項１記載の如く、スキャナをガイドロッドに沿って走査させることにより画像を読取る構成の画像読取装置のガイドロッドの取付構造であって、該画像読取装置を樹脂製のシャーシ内に収容し、前記ガイドロッドをシャーシ両側面に設けた取付孔により支持するとともに、前記ガイドロッドの一端には、ガイドロッドをシャーシと固定するための取付部材を設け、前記取付部材は、プラテンガラス支持用プレートと共通の止具により固定される構成とした。
【０００７】
【発明の実施の形態】
次に、本発明の実施の形態を添付の図面を用いて説明する。
図１は、本発明に係る画像読取装置を有する一実施例であるファクシミリ装置の斜視図、図２は同じく正面断面図、図３は画像読取装置を収容するシャーシの平面図、図４は同じく側面断面図、図５はシャーシ上部に補強プレートを取付けた状態を示す平面図、図６はシャーシ側面に設けられた取付孔を示す図、図７は取付部材によりガイドロッドを支持した状態を示す側面図、図８は同じく断面図、図９は読取ユニットの平面図である。
【０００８】
まず、本発明の画像読取装置が適用されるファクシミリ装置の概略構成について、図１、図２により説明する。
ファクシミリ装置Ｆは、記録部１の上方に読取部である読取ユニット２を配置して構成され、該読取ユニット２は、記録部１に対して回動支点２０を中心に上下回動可能とされている。記録部１には画像形成装置３及び給紙カセット４がそれぞれ上下に内装されており、給紙カセット４内に堆積される用紙を画像形成装置３へ給紙して記録した後に、記録紙排出トレイ５へ排出するように構成している。以下の説明においては便宜的に図１等に示す矢視Ａをファクシミリ装置Ｆの前部側（正面側）とする。
【０００９】
一方、読取ユニット２においては、上面を透明状の原稿載置面１４とした読取ケース１３内にスキャナ６０等からなる画像読取装置６を収納しており、該原稿載置面１４上に載置された原稿を該スキャナ６０により走査して、読み取りを行うようにしている。
また、読取ケース１３の上方には、その一辺を中心として開閉可能に構成される原稿押えカバー７が配置され、該原稿押えカバー７により原稿載置面１４上に載置された原稿を上方から押えるものとしている。
【００１０】
原稿押えカバー７の一端部には原稿を自動的に給紙する自動給紙装置（ＡＤＦ装置）８が付設され、該自動給紙装置８は給紙装置１１と搬送装置１２とにより構成されている。
そして、原稿供給トレイ９に載置した原稿を、自動給紙装置８の給紙装置１１により一枚ずつピックアップして、搬送装置１２により原稿載置面１４の一端部に設けられたＡＤＦ読取部１７へ搬送し、スキャナ６０により内容を読み取った後に、原稿押えカバー７の上面に形成される原稿排出トレイ１０へ排出するように構成している。
【００１１】
即ち、読取ユニット２は、スキャナ６０を走査させて静止原稿を読み取るフラットベッドタイプのスキャナとして用いるとともに、スキャナ６０を位置固定して原稿を給送しながら読み取りを行うシートフィードタイプのスキャナとして用いることができるように構成されている。
【００１２】
また、読取ケース１３の前部にはキーパネル１５が付設され、該キーパネル１５の各種操作キーを操作することにより、原稿内容の読み取りを行ったり、読み取った内容をファクシミリ送信する際の送信先の設定を行ったり、受信内容や読み取った内容の画像形成装置３による記録を行ったりするようにしている。
【００１３】
次に前記読取ケース１３内の構成について説明する。
図２に示すように読取ケース１３は内部に樹脂製のシャーシ２１を収容しており、該シャーシ２１内にスキャナ６０等からなる画像読取装置６を配する構成としている。シャーシ２１は図３の平面図、図４の側面図で示すように、底面及び四方の側面が一体成形された箱型の形状であり、シャーシ２１全体を樹脂で構成することにより読取ユニット２の軽量化を図っている。また、該シャーシ２１の前部には補強ウィング２２が取り付けられている。
【００１４】
補強ウィング２２は、図３で示すように平面視略台形状の底面２２ｂ、格子状に設けられたリブ２２ｒ、側面２２ａ・２２ａが樹脂で一体成形されており、樹脂一体成形されたシャーシ２１の強度を補強している。そして、図９に示すように該補強ウィング２２の上部には、前記キーパネル１５が設けられる構成として、キーパネル１５の支持部材としての役割も兼ねる構成としている。
【００１５】
シャーシ２１後部側の両側部には、支持台２６・２６が設けられており、該支持台２６・２６にそれぞれ設けられた支持孔２６ａ・２６ａに前記原稿押えカバー７の図示せぬ支持ピンを挿入することにより、該原稿押えカバー７をシャーシ２１上に載置する構成とし、該支持ピンの上部に設けられた図示せぬヒンジにより原稿押えカバー７の開閉を可能としている。
【００１６】
図５に示すようにシャーシ２１の前後及び左右側面の上部には、それぞれ板金プレートである補強プレート２３Ｆ・２３Ｂ・２３Ｌ・２３Ｒ（以下、適宜補強プレート２３と略す）がボルト等の止具により取付けられている。該補強プレート２３は、シャーシ２１の補強部材としての役割と併せて、前記原稿載置面１４を構成するプラテンガラス２４の支持プレートとしての役割を有している。
【００１７】
図５及び図９に示すようにシャーシ２１内の後部側には左右方向に前記スキャナ６０走査用のガイドロッド６１が横設されている。そして、ガイドロッド６１はシャーシ２１の両側面に設けられた後述する本発明に係る取付孔３１・３２に挿嵌されるとともに、左右一側（本実施例では左側）の取付孔３１の位置において位置決め用の取付部材２５を介してシャーシ２１に固定される構成としている。
【００１８】
また、前部側の補強プレート２３Ｆは図４に示すように断面視略コ字形状に形成されたプレートであり、該補強プレート２３Ｆの上部側の面をプラテンガラス２４を支持するプラテンガラス支持面２３ａとし、下部側の面を前記スキャナ６０とのスキャナ摺動面２３ｂとしている。
一方、図４に示すようにシャーシ２１内の前後方向に設けられたスキャナ６０の一端（後端）にはガイド孔６０ａが設けられ、該ガイド孔６０ａにガイドロッド６１を挿嵌している。また、スキャナ６０の他端（前端）の下部には摺動部６０ｂが形成されており、該摺動部６０ｂが前記補強プレート２３Ｆのスキャナ摺動面２３ｂ上に載置されている。
【００１９】
以上のような構成において、モータ６３（図９に図示）により駆動されたスキャナ６０は、一端（後端）側をガイドロッド６１により支持され、また、他端（前端）側をスキャナ摺動面２３ｂにより支持されながら、図９に示すように左右方向（スキャナ移動方向Ｂ）に移動可能としており、フラットベッドスキャナとして機能する場合には、スキャナ移動方向Ｂに移動しながら静止原稿の読取を行う。また、自動給紙装置８を使用する場合には、矢視Ｃ位置に移動停止して搬送原稿の読取を行う。スキャナ６０は、内部に光源である蛍光管、光学系、ＣＣＤ等を内装したユニット構成であり、蛍光管（光源）に給電を行うほか、ＣＣＤにより光電変換されたデータがハーネス６２を介して図示せぬ制御部へと送信される構成としている。
【００２０】
次に、本発明に係るガイドロッド６１の取付構造について説明する。
前記取付孔３１は図６（ａ）に示すように、シャーシ２１の一端側（本実施例では左側面）に設けられた略円形状の孔であり、その孔径はガイドロッド６１の孔径よりも大きく構成している。一方、取付孔３２は図６（ｂ）に示すようシャーシ２１の他端側に設けられており、その、開口形状は図に示すように円の一部が欠けた形状としている。これに対しガイドロッド６１の一端側も円の一部が欠けた形状としており、この端部を取付孔３２側に形状を合わせて挿嵌することにより、ガイドロッド６１の回転を規制している。
【００２１】
このような構成において、ガイドロッド６１を取付孔３１・３２に挿嵌してシャーシ２１内に横設し、さらに、図７及び図８で示すように取付部材２５をシャーシ２１の外方側から被装し、該取付部材２５を補強プレート２３Ｌと共通の止具であるボルト２５ｃによりシャーシ２１に固定する。また、ガイドロッド６１の端部にはネジ穴６１ａが形成されており、このネジ穴６１ａを取付部材２５に設けられた位置決め孔２５ａに合わせてボルト２５ｂにより位置固定をするが、位置決め孔２５ａはボルト２５ｂより径の大きな孔としているので、ガイドロッド６１の位置の微調整が行えるのである。また、ボルト２５ｂはガイドロッド６１の抜け止めとしても機能している。
【００２２】
また、取付孔３１を公差分だけの孔径を有するよう構成しておけば、前記取付部材２５による位置決めをしなくともガイドロッド６１の取付及び取付位置の微調整が可能となる。この場合、取付部材２５はガイドロッド６１の保持とグランド性の向上だけを目的として機能し、位置決めは取付孔３１の孔径の範囲内でガイドロッド６１の位置調整を行うことで可能となるのである。さらに、樹脂が何らかの理由により変形した場合には、前記取付孔３１の孔径を広げて、取付部材２５によりガイドロッド６１を位置決めした上で保持するよう構成すればよい。
【００２３】
このように、画像読取装置６を樹脂製のシャーシ２１内に収容し、ガイドロッド６１をシャーシ２１両側面に設けた取付孔３１・３２により支持する構成としたので、該ガイドロッド６１がシャーシ２１の内外から簡単に取り外すことが可能であり、部品交換が容易に行え、メンテナンス性に優れた構成となった。
また、ガイドロッド６１の一端には、ガイドロッド６１をシャーシ２１と固定するための取付部材２５を設ける構成としたので、シャーシ２１外方から治具にてガイドロッド６１の位置決めを行い、正確な位置を合わせた状態でボルト２５ｂにて固定することが可能となり、組立て精度が向上した。これにより前記スキャナ６０の画像読取において誤差の発生を防止し、読取精度を向上させることが可能となった。
【００２４】
また、取付部材２５はプラテンガラス支持用プレートである補強プレート２３Ｌと同一の止具であるボルト２５ｃによりシャーシ２１に固定されており、該取付部材２５を介してガイドロッド６１をグランド側（補強プレート２３側）に接続する構成としたので、シャーシ２１全体を樹脂で構成し軽量化を図りながら、ガイドロッド６１のグランド性が強化される構成となった。また、グランド側に接続する部材をガイドロッド６１の位置きめ用の取付部材で兼用させることで、部品点数の削減が図れ、低コストな構成となった。
【００２５】
【発明の効果】
本発明は以上の如く構成したので、以下のような効果を奏するものである。
即ち、請求項１記載の如く、スキャナをガイドロッドに沿って走査させることにより画像を読取る構成の画像読取装置であって、該画像読取装置を樹脂製のシャーシ内に収容し、前記ガイドロッドをシャーシ両側面に設けた取付孔により支持する構成としたので、ガイドロッドの取外しが容易となり部品交換が容易でメンテナンス性に優れた構成となった。
【００２６】
また、前記ガイドロッドの一端には、ガイドロッドをシャーシと固定するための取付部材を設けたので、ガイドロッドの位置決めの微調整が行える構成となり、画像読取の精度が向上した。
【００２７】
また、前記取付部材は、プラテンガラス支持用プレートと共通の止具により固定される構成としたので、ガイドロッドのグランド性が確保される構成となった。
【図面の簡単な説明】
【図１】本発明に係る画像読取装置を有する一実施例であるファクシミリ装置の斜視図である。
【図２】同じく正面断面図である。
【図３】画像読取装置を収容するシャーシの平面図である。
【図４】同じく側面断面図である。
【図５】シャーシ上部に補強プレートを取付けた状態を示す平面図である。
【図６】シャーシ側面に設けられた取付孔を示す図である。
【図７】取付部材によりガイドロッドを支持した状態を示す側面図である。
【図８】同じく断面図である。
【図９】読取ユニットの平面図である。
【符号の説明】
２１    シャーシ
２３    補強プレート
２５    取付部材
２５ａ  位置決め孔
２５ｂ  ボルト
２５ｃ  ボルト（共通の止具）
６０    スキャナ
６１    ガイドロッド
【図１】
0003988345.tif 000002
【図２】
0003988345.tif 000003
【図３】
0003988345.tif 000004
【図４】
0003988345.tif 000005
【図５】
0003988345.tif 000006
【図６】
0003988345.tif 000007
【図７】
0003988345.tif 000008
【図８】
0003988345.tif 000009
【図９】
0003988345.tif 000010